(57)【要約】【課題】蓄電池の放電量の偏りを抑制可能な電力供給システムを提供する。【解決手段】太陽光発電部１１・２１・３１と、蓄電池１２・２２・３２と、系統電源Ｋへと逆潮流される電力及び系統電源Ｋからの電力を検出可能なセンサ３４と、センサ３４の検出結果を取得可能であると共に複数の蓄電池１２・２２・３２を制御可能に構成される制御部４０と、を具備し、制御部４０は、センサ３４の検出結果に基づいて太陽光発電部１１・２１・３１及び複数の蓄電池１２・２２・３２からの電力で負荷Ｈの消費電力を賄っている自己完結状態であるか否かを判断し、当該自己完結状態であると判断した場合に、複数の蓄電池１２・２２・３２の放電に関する優先順位に基づいて放電を許可する蓄電池１２・２２・３２を変更する。【選択図】図９
2018160950.tif 000002
【特許請求の範囲】
【請求項１】
自然エネルギーを利用して発電可能であると共に当該発電された電力を負荷へと供給可能な発電部と、
前記発電部で発電された電力及び系統電源からの電力を充電可能であると共に、当該充電された電力を放電して前記負荷へと供給可能な複数の蓄電池と、
前記系統電源へと逆潮流される電力及び前記系統電源からの電力を検出可能な検出部と、
前記検出部の検出結果を取得可能であると共に前記複数の蓄電池を制御可能に構成される制御部と、
を具備し、
前記制御部は、
前記検出部の検出結果に基づいて前記発電部及び前記複数の蓄電池からの電力で前記負荷の消費電力を賄っている自己完結状態であるか否かを判断し、当該自己完結状態であると判断した場合に、前記複数の蓄電池の放電に関する優先順位に基づいて放電を許可する前記蓄電池を変更する、
電力供給システム。
【請求項２】
前記制御部は、
前記自己完結状態であると判断した場合に、前記複数の蓄電池の放電量の総和及び最大放電量に基づいて放電を許可する前記蓄電池の台数を決定する、
請求項１に記載の電力供給システム。
【請求項３】
前記制御部は、
前記放電量の総和から前記最大放電量を除算した結果に基づいて、前記負荷の消費電力を賄うために必要な前記蓄電池の台数の最小値を判断し、前記放電を許可する蓄電池の台数を前記最小値に決定する、
請求項２に記載の電力供給システム。
【請求項４】
前記系統電源と前記負荷との間で流通する電力を検出可能な複数のセンサをさらに具備し、
前記複数の蓄電池は、
前記系統電源から前記負荷へと電力が流通する方向に並んで配置され、前記複数のセンサの検出値に基づいて負荷追従運転を行うことで前記負荷へと電力を供給可能に構成され、
前記制御部は、
前記自己完結状態であると判断した場合に、前記複数の蓄電池のうち、前記電力が流通する方向の上流側に配置される前記蓄電池の放電を優先的に許可する、
請求項１から請求項３までのいずれか一項に記載の電力供給システム。
【発明の詳細な説明】
【技術分野】
【０００１】
本発明は、自然エネルギーを利用して発電可能な発電部と、電力を充放電可能な複数の蓄電池と、を具備する電力供給システムの技術に関する。
【背景技術】
【０００２】
従来、自然エネルギーを利用して発電可能な発電部と、電力を充放電可能な複数の蓄電池と、を具備する電力供給システムの技術は公知となっている。例えば、特許文献１に記載の如くである。
【０００３】
特許文献１に記載される電力融通システムは、複数の太陽電池（発電部）及び複数の蓄電池等を具備する。太陽電池及び蓄電池は、集合住宅の各住宅にそれぞれ設けられ、当該設けられた住宅に電力を供給する。電力融通システムは、太陽電池の発電量や住宅の消費電力量等に基づいて、電力の融通元となる住宅と融通先となる住宅とを決定する。そして、電力融通システムは、融通元の住宅の蓄電池を放電させる等して、融通先の住宅に電力を融通する。
【０００４】
しかし、特許文献１に記載される電力融通システムにおいては、例えば、消費電力量が少ない住宅等が電力の融通元となり易く、当該住宅の蓄電池の放電量が多くなってしまう。このため、前記電力融通システムは、蓄電池の放電量が偏ってしまうという点で不利であった。
【先行技術文献】
【特許文献】
【０００５】
【特許文献１】特開２００１−１０１５３２号公報
【発明の概要】
【発明が解決しようとする課題】
【０００６】
本発明は、以上の如き状況を鑑みてなされたものであり、その解決しようとする課題は、蓄電池の放電量の偏りを抑制可能な電力供給システムを提供するものである。
【課題を解決するための手段】
【０００７】
本発明の解決しようとする課題は以上の如くであり、次にこの課題を解決するための手段を説明する。
【０００８】
即ち、請求項１においては、自然エネルギーを利用して発電可能であると共に当該発電された電力を負荷へと供給可能な発電部と、前記発電部で発電された電力及び系統電源からの電力を充電可能であると共に、当該充電された電力を放電して前記負荷へと供給可能な複数の蓄電池と、前記系統電源へと逆潮流される電力及び前記系統電源からの電力を検出可能な検出部と、前記検出部の検出結果を取得可能であると共に前記複数の蓄電池を制御可能に構成される制御部と、を具備し、前記制御部は、前記検出部の検出結果に基づいて前記発電部及び前記複数の蓄電池からの電力で前記負荷の消費電力を賄っている自己完結状態であるか否かを判断し、当該自己完結状態であると判断した場合に、前記複数の蓄電池の放電に関する優先順位に基づいて放電を許可する前記蓄電池を変更するものである。
【０００９】
請求項２においては、前記制御部は、前記自己完結状態であると判断した場合に、前記複数の蓄電池の放電量の総和及び最大放電量に基づいて放電を許可する前記蓄電池の台数を決定するものである。
【００１０】
請求項３においては、前記制御部は、前記放電量の総和から前記最大放電量を除算した結果に基づいて、前記負荷の消費電力を賄うために必要な前記蓄電池の台数の最小値を判断し、前記放電を許可する蓄電池の台数を前記最小値に決定するものである。
【００１１】
請求項４においては、前記系統電源と前記負荷との間で流通する電力を検出可能な複数のセンサをさらに具備し、前記複数の蓄電池は、前記系統電源から前記負荷へと電力が流通する方向に並んで配置され、前記複数のセンサの検出値に基づいて負荷追従運転を行うことで前記負荷へと電力を供給可能に構成され、前記制御部は、前記自己完結状態であると判断した場合に、前記複数の蓄電池のうち、前記電力が流通する方向の上流側に配置される前記蓄電池の放電を優先的に許可するものである。
【発明の効果】
【００１２】
本発明の効果として、以下に示すような効果を奏する。
【００１３】
請求項１においては、蓄電池の放電量の偏りを抑制できる。
【００１４】
請求項２においては、放電を許可する蓄電池の台数を好適に決定することができる。
【００１５】
請求項３においては、放電を許可する蓄電池を最小の台数にまで絞ることができる。
【００１６】
請求項４においては、蓄電池の放電量の偏りを抑制できる。
【図面の簡単な説明】
【００１７】
【図１】第一実施形態に係る電力供給システムを示したブロック図。
【図２】売電放電状態を示したブロック図。
【図３】売電放電抑制処理を示したフローチャート。
【図４】売電放電状態が解消された状態を示したブロック図。
【図５】第三蓄電システムの蓄電池を放電させた状態を示したブロック図。
【図６】第一蓄電システムから第三蓄電システムまでの蓄電池を放電させた状態を示したブロック図。
【図７】第三蓄電システムの蓄電池の放電量が減少した状態を示したブロック図。
【図８】放電変更処理を示したフローチャート。
【図９】放電変更処理を実行した後の状態を示したブロック図。
【図１０】第二実施形態に係る電力供給システムを示したブロック図。
【図１１】売電放電状態を示したブロック図。
【図１２】売電放電抑制処理を示したフローチャート。
【図１３】売電放電状態が解消された状態を示したブロック図。
【図１４】放電変更処理を示したフローチャート。
【図１５】放電変更処理を実行した後の状態を示したブロック図。
【発明を実施するための形態】
【００１８】
以下では、本発明の第一実施形態に係る電力供給システム１について説明する。
【００１９】
図１に示す電力供給システム１は、系統電源Ｋからの電力や、太陽光を利用して発電された電力を負荷Ｈへと供給するものである。第一実施形態に係る電力供給システム１は、集合住宅に設けられ、当該集合住宅の負荷Ｈ（例えば、複数の住宅の機器等）へと電力を供給する。電力供給システム１は、主として第一蓄電システム１０、第二蓄電システム２０、第三蓄電システム３０及び制御部４０を具備する。
【００２０】
第一蓄電システム１０は、太陽光を利用して発電された電力を蓄電したり、負荷Ｈへと供給するものである。第一蓄電システム１０は、太陽光発電部１１、蓄電池１２、ハイブリッドパワコン１３及びセンサ１４を具備する。
【００２１】
太陽光発電部１１は、太陽光を利用して発電する装置である。太陽光発電部１１は、太陽電池パネル等により構成される。太陽光発電部１１は、例えば、住宅の屋根の上等の日当たりの良い場所に設置される。
【００２２】
蓄電池１２は、電力を充電可能に構成されるものである。蓄電池１２は、例えば、リチウムイオン電池により構成される。蓄電池１２は、後述するハイブリッドパワコン１３等を介して太陽光発電部１１と接続される。なお、蓄電池１２は、第一実施形態において、その最大放電量が２０００（Ｗ）であるものとする。最大放電量とは、蓄電池１２が単位時間当たりに放電可能な最大の電力量を指す。
【００２３】
ハイブリッドパワコン１３は、電力を適宜変換するもの（ハイブリッドパワーコンディショナ）である。ハイブリッドパワコン１３は、太陽光発電部１１で発電された電力及び蓄電池１２から放電された電力を負荷Ｈに出力可能であると共に、太陽光発電部１１で発電された電力及び系統電源Ｋからの電力を蓄電池１２に出力可能に構成される。ハイブリッドパワコン１３は、系統電源Ｋから負荷Ｈへと電力を供給する電力経路Ｌの第一接続点Ｐ１と接続される。
【００２４】
センサ１４は、電力経路Ｌにおいて、第一接続点Ｐ１と後述する第二蓄電システム２０が接続される第二接続点Ｐ２との間に設けられる。センサ１４は、設けられた箇所を流通する電力（例えば、負荷Ｈ及び蓄電池１２へと供給される電力）の電圧（供給電圧）及び電流（供給電流）を検出する。センサ１４は、ハイブリッドパワコン１３と接続され、検出結果に関する信号をハイブリッドパワコン１３へ出力可能に構成される。
【００２５】
第二蓄電システム２０は、第一蓄電システム１０よりも電力経路Ｌの上流側（系統電源Ｋ側）の第二接続点Ｐ２に接続される点を除いて、第一蓄電システム１０と同様に構成される。
【００２６】
第三蓄電システム３０は、第二蓄電システム２０よりも電力経路Ｌの上流側の第三接続点Ｐ３に接続される点を除いて、第一蓄電システム１０と同様に構成される。
【００２７】
制御部４０は、第一蓄電システム１０から第三蓄電システム３０までの情報を管理すると共に、第一蓄電システム１０から第三蓄電システム３０までの動作を制御するものである。制御部４０は、主としてＣＰＵ等の演算処理装置、ＲＡＭやＲＯＭ等の記憶装置、並びにタッチパネル等の入出力装置等により構成される。制御部４０は、太陽光発電部１１・２１・３１で発電された電力の出力や、蓄電池１２・２２・３２の充放電を制御することができる。また、制御部４０は、プログラムや種々の情報を前記記憶装置に格納しており、当該プログラムや種々の情報を演算処理装置で読み込んで処理することで、電力供給システム１の動作等を実行することができる。このような制御部４０は、例えば、ＥＭＳ（Ｅｎｅｒｇｙ  Ｍａｎａｇｅｍｅｎｔ  Ｓｙｓｔｅｍ）によって構成される。
【００２８】
また、制御部４０は、ハイブリッドパワコン１３・２３・３３と接続される。制御部４０は、ハイブリッドパワコン１３・２３・３３から出力された信号により、センサ１４・２４・３４の検出結果や太陽光発電部１１・２１・３１及び蓄電池１２・２２・３２の運転状態に関する情報を取得することができる。
【００２９】
以下では、上述の如く構成された電力供給システム１において、蓄電池１２・２２・３２及び負荷Ｈへ電力を供給する流れについて、簡単に説明する。
【００３０】
系統電源Ｋや太陽光発電部１１・２１・３１からの電力は、電力経路Ｌを介して負荷Ｈへ供給される。こうして、住宅の居住者は、系統電源Ｋや、太陽光発電部１１・２１・３１からの電力を用いて照明を点灯させたり、調理器具やエアコンを使用したりすることができる。
【００３１】
この場合において、負荷Ｈの消費電力が太陽光発電部１１・２１・３１からの電力で賄える場合には、系統電源Ｋからの電力を用いないことも可能である。このようにして系統電源Ｋからの買電量を減少させ、電力料金を節約することができる。
【００３２】
また、系統電源Ｋや太陽光発電部１１・２１・３１からの電力は、適宜の時間帯に蓄電池１２・２２・３２に供給することができる。蓄電池１２・２２・３２に供給された電力は、当該蓄電池１２・２２・３２に充電することができる。蓄電池１２・２２・３２が充電される時間帯は、居住者の任意に設定することができる。例えば、前記時間帯を深夜に設定すれば、料金の安い深夜電力を蓄電池１２・２２・３２に充電することができる。また、前記時間帯を昼間の時間帯に設定すれば、太陽光発電部１１・２１・３１からの電力を蓄電池１２・２２・３２に充電することができる。
【００３３】
また、蓄電池１２・２２・３２に充電された電力は、電力経路Ｌを介して負荷Ｈへ供給することができる。具体的には、蓄電池１２・２２・３２を放電すると、当該放電された電力が電力経路Ｌを介して負荷Ｈに供給される。蓄電池１２・２２・３２が放電される時間帯は、居住者の任意に設定することができる。例えば、前記時間帯を昼間の時間帯に設定すれば、蓄電池１２・２２・３２に充電した料金の安い深夜電力を当該昼間の時間帯に用いることができる。こうして、昼間の時間帯に系統電源Ｋからの電力量（買電量）を減少させ、電力料金を節約することができる。
【００３４】
このような負荷Ｈへの電力の供給において、ハイブリッドパワコン１３・２３・３３は、センサ１４・２４・３４の検出結果に基づいて蓄電池１２・２２・３２の放電量を決定する負荷追従運転を行う。当該負荷追従運転により、下流側に配置される第一蓄電システム１０から負荷Ｈへ電力が優先的に供給される。また、第一蓄電システム１０からの電力で負荷Ｈの消費電力を賄えない場合、第二蓄電システム２０から電力が供給される。それでも負荷Ｈの消費電力を賄えない場合、第三蓄電システム３０から電力が供給される。このように、電力供給システム１においては、蓄電池１２・２２・３２が負荷追従運転可能（放電可能）である場合に、下流側に配置される蓄電池が優先的に放電される。
【００３５】
また、蓄電池１２・２２・３２は、放電に関する運転状態（モード）として、充電モード及び停止モード等を有する。放電モードは、蓄電池１２・２２・３２が放電可能な状態となるモードである。放電モードに切り替えられた蓄電池１２・２２・３２は、必要に応じて電力を放電することができる。停止モードは、蓄電池１２・２２・３２が充放電不能な状態となるモードである。停止モードに切り替えられた蓄電池１２・２２・３２は、充放電が停止される。制御部４０は、ハイブリッドパワコン１３・２３・３３に信号を入力することで、このような放電モード及び停止モードの切替を行うことができる。
【００３６】
仮に、蓄電池１２・２２・３２が放電モードである場合においては、図２に示すように、太陽光発電部２１・３１による売電と蓄電池１２の放電とが同時に行われる可能性がある。
【００３７】
図２に示す状態においては、太陽光発電部１１・２１・３１の発電量がそれぞれ１０００（Ｗ）であると共に、負荷Ｈの消費電力量が３０００（Ｗ）となっている。このような状態において、第一蓄電システム１０の太陽光発電部１１からの電力（１０００（Ｗ））は、負荷Ｈに供給される。この際、センサ１４は、太陽光発電部１１からの電力では負荷Ｈの消費電力に対して不足する電力（２０００（Ｗ））を検出し、その検出結果に関する信号をハイブリッドパワコン１３に送信する。ハイブリッドパワコン１３は、センサ１４の検出結果に基づいて、放電量が２０００（Ｗ）となるように蓄電池１２を放電させる。これによって、負荷Ｈは、第一蓄電システム１０からの電力によって消費電力が賄われることとなる。
【００３８】
このような状態において、第一蓄電システム１０よりも上流側に配置される第二蓄電システム２０及び第三蓄電システム３０は、太陽光発電部２１・３１で発電した電力を逆潮流（売電）させる。この場合、太陽光発電部１１・２１・３１で発電された電力（合計３０００（Ｗ））で負荷Ｈの消費電力（３０００（Ｗ））を賄えるにも関わらず蓄電池１２を放電させることとなるため、太陽光発電部２１・３１で発電された電力を負荷Ｈで有効に活用することができなくなってしまう。
【００３９】
以上のように、蓄電池１２・２２・３２が放電モードである場合においては、蓄電池１２（下流側の蓄電池）からの電力が太陽光発電部２１・３１（上流側の太陽光発電部）からの電力よりも優先的に負荷Ｈに供給されてしまう。これにより、太陽光発電部２１・３１による売電と蓄電池１２の放電とが同時に行われてしまう。当該売電と放電とは、蓄電池１２が放電モードである場合に他の蓄電池２２・３２のモードに関わらず行われる可能性がある。また、蓄電池２２を放電させることで負荷Ｈの消費電力を賄うことができた場合にも、太陽光発電部３１による売電と蓄電池１２・２２の放電とが同時に行われてしまう。以下では、このような太陽光発電部１１・２１・３１の少なくともいずれか１台による売電と、蓄電池１２・２２・３２の少なくともいずれか１台の放電と、が同時に行われている状態（例えば、図２に示すような状態）を「売電放電状態」と称する。
【００４０】
第一実施形態に係る電力供給システム１は、図３に示す売電放電抑制処理を行うことで売電放電状態となることを抑制し、太陽光発電部１１・２１・３１で発電された電力を有効に活用することができるようにしている。
【００４１】
以下では、図３から図６までを参照して、売電放電抑制処理について説明する。
【００４２】
売電放電抑制処理は、制御部４０により繰り返し実行される。なお、以下においては、初期設定において、蓄電池１２・２２・３２に対して放電モードが設定されているものとして、売電放電抑制処理の内容を説明する。
【００４３】
図３に示すように、まず、ステップＳ１０において、制御部４０は、売電状態であるか否かを確認する。第一実施形態において、売電状態とは、太陽光発電部１１・２１・３１の少なくともいずれか１台からの電力を系統電源Ｋへと逆潮流させている状態を指す。前述の如く、負荷Ｈには、第一蓄電システム１０及び第二蓄電システム２０からの電力で消費電力を賄えない場合に、第三蓄電システム３０から電力が供給される。この場合、太陽光発電部１１・２１・３１の発電量や負荷Ｈの消費電力に応じて、第三蓄電システム３０の太陽光発電部３１のみが売電する。また、太陽光発電部３１は、第一蓄電システム１０及び第二蓄電システム２０からの電力で負荷Ｈの消費電力を賄える場合、第一蓄電システム１０からの電力で負荷Ｈの消費電力を賄える場合のいずれにおいても売電する。このように、電力供給システム１においては、売電状態となる場合に、必ず第三蓄電システム３０の太陽光発電部３１が売電している。よって、第三蓄電システム３０の太陽光発電部３１が売電していなければ、その下流側に配置される第一蓄電システム１０及び第二蓄電システム２０の太陽光発電部１１・２１も売電していないこととなる。そこで、制御部４０は、第三蓄電システム３０のハイブリッドパワコン３３からセンサ３４の検出結果を取得することで、売電状態であるか否かを確認する。制御部４０は、売電状態であると判断した場合にステップＳ２０へ移行する。一方、制御部４０は、売電状態でないと判断した場合にステップＳ６０へ移行する。
【００４４】
ステップＳ２０において、制御部４０は、第一蓄電システム１０の蓄電池１２（最も下流側に配置される蓄電池）が放電モードであるか否かを確認する。このとき、制御部４０は、第一蓄電システム１０のハイブリッドパワコン１３から蓄電池１２のモードを取得することで、蓄電池１２が放電モードであるか否かを確認する。制御部４０は、蓄電池１２が放電モードであると判断した場合にステップＳ３０へ移行する。一方、制御部４０は、蓄電池１２が放電モードでないと判断した場合にステップＳ４０へ移行する。
【００４５】
ステップＳ３０において、制御部４０は、第一蓄電システム１０のハイブリッドパワコン１３に信号を入力し、蓄電池１２を停止モードに設定する。これにより、制御部４０は、売電状態である場合に（ステップＳ１０：ＹＥＳ）、蓄電池１２の放電を停止させる。これによって、制御部４０は、負荷Ｈの消費電力のうち、第一蓄電システム１０の蓄電池１２で賄っていた分の電力を、第二蓄電システム２０で賄うようにすることができる。制御部４０は、ステップＳ３０の処理が終了すると、売電放電抑制処理を終了する。
【００４６】
ステップＳ４０において、制御部４０は、ステップＳ２０と同じ要領で、第二蓄電システム２０の蓄電池２２（第一蓄電システム１０の蓄電池よりも一つ上流側に配置される蓄電池）が放電モードであるか否かを確認する。制御部４０は、蓄電池２２が放電モードであると判断した場合にステップＳ５０へ移行する。一方、制御部４０は、蓄電池２２が放電モードでないと判断した場合に売電放電抑制処理を終了する。
【００４７】
ステップＳ５０において、制御部４０は、第二蓄電システム２０のハイブリッドパワコン２３に信号を入力し、蓄電池２２を停止モードに設定する。これにより、制御部４０は、蓄電池２２の放電を停止させる。これによって、制御部４０は、負荷Ｈの消費電力のうち、第二蓄電システム２０の蓄電池２２で賄っていた分の電力を、第三蓄電システム３０で賄うようにすることができる。制御部４０は、ステップＳ５０の処理が終了すると、売電放電抑制処理を終了する。
【００４８】
図４に示すように、制御部４０は、以上のようなステップＳ２０〜Ｓ５０の処理により、売電状態である場合（ステップＳ１０：ＹＥＳ）に蓄電池１２・２２の放電を停止させることができる。これによれば、制御部４０は、太陽光発電部１１・２１・３１からの電力（それぞれ１０００（Ｗ））を負荷Ｈに優先的に供給することができる。これにより、制御部４０は、売電放電状態となることを抑制し、売電していた電力を負荷Ｈで有効に活用することができる。
【００４９】
ここで、複数の蓄電池が放電モードである場合においては、下流側に配置される蓄電池（例えば、蓄電池１２）が優先的に放電されて放電量が多くなり易い。そこで、制御部４０は、売電状態である場合に、このような下流側に配置される蓄電池の放電を優先的に停止することで（ステップＳ２０〜Ｓ５０）、当該蓄電池の放電量を抑制することができる。これによれば、制御部４０は、蓄電池１２・２２・３２の放電量が偏ることを抑制できる。
【００５０】
また、売電放電状態となった場合、蓄電池１２・２２の放電によって逆潮流させる電力量を押し上げてしまうことから、電力会社が買い取る電力の単価が売電放電状態でない場合の電力の単価よりも低くなってしまう。そこで、ステップＳ１０〜Ｓ５０によって売電放電状態を抑制すれば、電力の単価が下がることを抑制できる。
【００５１】
なお、太陽光発電部１１・２１・３１からの電力で負荷Ｈの消費電力を賄える場合、第三蓄電システム３０の蓄電池３２は放電しない（売電放電状態の要因とならない）。このため、制御部４０は、売電状態である場合（ステップＳ１０：ＹＥＳ）に蓄電池１２・２２が放電モードでなければ（ステップＳ２０：ＮＯ、ステップＳ４０：ＮＯ）、蓄電池３２に対して処理を行わずに売電放電抑制処理を終了している。また、図５に示すように、蓄電池３２は、太陽光発電部１１・２１・３１からの電力（合計３０００（Ｗ））で負荷Ｈの消費電力（４０００＋ａ（Ｗ））を賄えない場合に、センサ３４の検出結果に応じた負荷追従運転を行う（放電する）。なお、図５に示す状態において、蓄電池１２・２２は、停止モードに設定されている。
【００５２】
また、図５に示すように、ハイブリッドパワコン３３は、蓄電池３２の放電によって負荷Ｈの消費電力を賄える場合に、蓄電池３２の放電量を調整して所定量の電力を系統電源Ｋから購入する。これにより、ハイブリッドパワコン３３は、太陽光発電部１１・２１・３１の発電量及び負荷Ｈの消費電力の僅かな変動によって、蓄電池３２の放電中に電力が逆潮流しないようにしている。以下においては、このような蓄電池３２の放電時に購入する電力量を「放電時購入電力量ａ」と称する。
【００５３】
図３に示すように、売電状態でない場合にステップＳ１０から移行するステップＳ６０において、制御部４０は、太陽光発電部１１・２１・３１や蓄電池１２・２２・３２（以下では、「太陽光発電部１１・２１・３１等」と称する）からの電力で負荷Ｈの消費電力を賄えているか否かを確認する。仮に、太陽光発電部１１・２１・３１等からの電力で負荷Ｈの消費電力を賄えなくなった場合、当該賄えなくなった分の電力を系統電源Ｋから購入することとなる。この場合、買電量は、放電時購入電力量ａから増えることとなる。よって、買電量が放電時購入電力量ａよりも大きいか否かを確認すれば、太陽光発電部１１・２１・３１等からの電力で負荷Ｈの消費電力を賄えているか否かを確認することができる。そこで、制御部４０は、第三蓄電システム３０のハイブリッドパワコン３３からセンサ３４の検出結果を取得することで買電量を判断し、当該買電量と放電時購入電力量ａとを比較する。制御部４０は、買電量が放電時購入電力量ａよりも大きいと判断した場合に、ステップＳ７０へと移行する。一方、制御部４０は、買電量が放電時購入電力量ａ以下であると判断した場合に、後述する放電変更処理へと移行する。
【００５４】
ステップＳ７０において、制御部４０は、ステップＳ４０と同様に、第二蓄電システム２０の蓄電池２２が放電モードであるか否かを確認する。制御部４０は、蓄電池２２が放電モードでないと判断した場合にステップＳ８０へ移行する。一方、制御部４０は、蓄電池２２が放電モードであると判断した場合にステップＳ９０へ移行する。
【００５５】
ステップＳ８０において、制御部４０は、ステップＳ５０と同じ要領で、第二蓄電システム２０の蓄電池２２を放電モードに設定する。これにより、制御部４０は、買電量が放電時購入電力量ａよりも大きい場合に（ステップＳ６０：ＹＥＳ）、蓄電池２２を放電させる。
【００５６】
例えば、図５に示すような状態（蓄電池１２・２２が停止モードである状態）で、太陽光発電部１１・２１・３１の発電量が減ったり負荷Ｈの消費電力が増えると、蓄電池３２を最大放電量（２０００（Ｗ））で放電させても負荷Ｈの消費電力を賄えなくなる可能性がある。この場合、系統電源Ｋから電力を購入することとなって、買電量が放電時購入電力量ａよりも大きくなる（ステップＳ６０：ＹＥＳ）。制御部４０は、このような場合にステップＳ８０へと移行するようにして（ステップＳ７０：ＮＯ）、第二蓄電システム２０の蓄電池２２を放電させる。これによれば、負荷Ｈの消費電力に対して太陽光発電部１１・２１・３１及び蓄電池３２からの電力では不足する電力を、蓄電池２２で賄うことができる。なお、ハイブリッドパワコン３３は、蓄電池２２の放電により前記不足する電力を賄える場合、放電時購入電力量ａの電力を系統電源Ｋから購入する。制御部４０は、ステップＳ８０の処理が終了すると、売電放電抑制処理を終了する。
【００５７】
図３に示すように、ステップＳ９０において、制御部４０は、ステップＳ２０と同様に、第一蓄電システム１０の蓄電池１２が放電モードであるか否かを確認する。制御部４０は、蓄電池１２が放電モードでないと判断した場合にステップＳ１００へ移行する。一方、制御部４０は、蓄電池１２が放電モードであると判断した場合に売電放電抑制処理を終了する。
【００５８】
ステップＳ１００において、制御部４０は、ステップＳ３０と同じ要領で、第一蓄電システム１０の蓄電池１２を放電モードに設定する。これにより、制御部４０は、買電量が放電時購入電力量ａよりも大きく、かつ第二蓄電システム２０の蓄電池２２が放電モードである場合に（ステップＳ６０：ＹＥＳ、ステップＳ７０：ＹＥＳ）、蓄電池１２を放電させる。これによれば、負荷Ｈの消費電力に対して太陽光発電部１１・２１・３１及び蓄電池２２・３２からの電力では不足する電力を、蓄電池１２で賄うことができる。なお、ハイブリッドパワコン３３は、蓄電池１２の放電により前記不足する電力を賄える場合、放電時購入電力量ａの電力を系統電源Ｋから購入する。制御部４０は、ステップＳ１００の処理が終了すると、売電放電抑制処理を終了する。
【００５９】
図６に示すように、制御部４０は、以上のようなステップＳ７０〜Ｓ１００の処理により、太陽光発電部１１・２１・３１及び蓄電池３２からの電力では負荷Ｈの消費電力（１００００（Ｗ））を賄えない場合に（ステップＳ６０：ＹＥＳ）、蓄電池１２・２２を放電させることができる。これによって、太陽光発電部１１・２１・３１の発電中に売電放電状態となることなく、蓄電池１２・２２を放電させることができる。これによれば、太陽光発電部１１・２１・３１の電力を有効に活用しつつ、必要なときに蓄電池１２・２２を放電させて買電量を抑制することができる。なお、図６に示す状態においては、蓄電池１２・２２・３２が最大放電量（２０００（Ｗ））を放電しても負荷Ｈの消費電力を賄えず、１０００（Ｗ）の電力を系統電源Ｋから購入している。
【００６０】
また、制御部４０は、太陽光発電部１１・２１・３１及び蓄電池３２からの電力では負荷Ｈの消費電力を賄えない場合に、蓄電池１２・２２のうち、上流側に配置される蓄電池２２（蓄電池１２・２２・３２が放電モードである場合に放電量が少なくなり易い蓄電池）を優先的に放電させる。これにより、制御部４０は、上流側に配置される蓄電池を積極的に放電させるようにしている。これによれば、制御部４０は、蓄電池１２・２２・３２の放電量が偏ることを抑制できる。
【００６１】
ここで、図６に示す状態から負荷Ｈの消費電力が減る等して、負荷Ｈの消費電力を太陽光発電部１１・２１・３１及び蓄電池１２・２２・３２からの電力で賄えるようになると、上流側の蓄電池の放電量が減ることとなる。具体的には、図７に示すように、負荷Ｈの消費電力量が１００００（Ｗ）から７５００＋ａ（Ｗ）まで減った場合、第三蓄電システム３０の蓄電池３２の放電量が２０００（Ｗ）から５００（Ｗ）まで減少することとなる。このように、太陽光発電部１１・２１・３１等からの電力で負荷Ｈの消費電力を賄っている場合においても、特段の処理を行わなければ、下流側に配置される蓄電池１２の放電量が多くなって、放電量が偏る可能性がある。そこで、電力供給システム１は、図８に示す放電変更処理により、このような放電量の偏りを抑制するようにしている。なお、以下においては、このような太陽光発電部１１・２１・３１等からの電力で負荷Ｈの消費電力を賄っている状態を「自己完結状態」と称する。
【００６２】
以下では、図８及び図９を参照して、放電変更処理について説明する。
【００６３】
放電変更処理は、放電させる蓄電池１２・２２・３２を適宜変更することで、自己完結状態である場合に、放電量の偏りを抑制するための処理である。放電変更処理は、図３に示す売電放電抑制処理の一部を成す処理であり、ステップＳ６０で買電量が放電時購入電力量ａ以下である場合（ステップＳ１０：ＮＯ、ステップＳ６０：ＮＯ）に実行される。
【００６４】
図８に示すように、ステップＳ１１０において、制御部４０は、ハイブリッドパワコン１３・２３・３３から蓄電池１２・２２・３２の放電量を取得する。制御部４０は、ステップＳ１１０の処理が終了すると、ステップＳ１２０へ移行する。
【００６５】
ステップＳ１２０において、制御部４０は、必要放電台数Ｂを計算する。必要放電台数Ｂは、負荷Ｈの消費電力を賄うのに必要な蓄電池１２・２２・３２の台数を示す変数である。制御部４０は、蓄電池１２・２２・３２の放電量の総和から蓄電池１２・２２・３２の最大放電量を除算することで、必要放電台数Ｂを算出する。制御部４０は、ステップＳ１２０の処理が終了すると、ステップＳ１３０へ移行する。
【００６６】
ステップＳ１３０において、制御部４０は、必要放電台数Ｂが２よりも大きいか否かを確認する。制御部４０は、必要放電台数Ｂが２以下である場合に、ステップＳ１４０へ移行する。一方、制御部４０は、必要放電台数Ｂが２よりも大きい場合、蓄電池１２・２２・３２が全て放電していて放電させる蓄電池１２・２２・３２を変更できないと判断し、放電変更処理を終了する。
【００６７】
ステップＳ１４０において、制御部４０は、必要放電台数Ｂが２以下、かつ１よりも大きいか否かを確認する。制御部４０は、必要放電台数Ｂが２以下、かつ１よりも大きい場合に、ステップＳ１５０へ移行する。一方、制御部４０は、必要放電台数Ｂが２よりも大きい、又は１以下の場合に、ステップＳ１６０へ移行する。なお、必要放電台数Ｂが２よりも大きい場合、ステップＳ１３０からステップＳ１４０へ移行しないため、制御部４０は、実質的には必要放電台数Ｂが１以下の場合にステップＳ１６０へ移行することとなる。
【００６８】
ステップＳ１５０において、制御部４０は、第二蓄電システム２０及び第三蓄電システム３０の蓄電池２２・３２を放電モードに設定すると共に、第一蓄電システム１０の蓄電池１２を停止モードに設定する。必要放電台数Ｂが２以下、かつ１よりも大きい場合、蓄電池１２・２２・３２の中から２台を放電させれば、負荷Ｈの消費電力を賄うことができる。そこで、制御部４０は、上流側に配置される２台の蓄電池２２・３２を放電させると共に、下流側に配置される蓄電池１２の放電を停止する。これによって、制御部４０は、蓄電池２２・３２を優先的に放電させるように、放電させる蓄電池１２・２２・３２を変更する。制御部４０は、ステップＳ１５０の処理が終了すると、放電変更処理を終了する。
【００６９】
ステップＳ１６０において、制御部４０は、第三蓄電システム３０の蓄電池３２を放電モードに設定すると共に、第一蓄電システム１０及び第二蓄電システム２０の蓄電池１２・２２を停止モードに設定する。必要放電台数Ｂが１以下である場合、蓄電池１２・２２・３２の中から１台を放電させれば、負荷Ｈの消費電力を賄うことができる。そこで、制御部４０は、最も上流側に配置される蓄電池３２のみを放電させると共に、下流側に配置される蓄電池１２・２２の放電を停止する。これによって、制御部４０は、蓄電池３２を優先的に放電させるように、放電させる蓄電池１２・２２・３２を変更する。制御部４０は、ステップＳ１６０の処理が終了すると、放電変更処理を終了する。
【００７０】
以上のように、制御部４０は、放電変更処理において、上流側に配置される蓄電池が上位となるように放電に関する優先順位を設定し、当該優先順位に基づいて放電させる蓄電池１２・２２・３２を変更している。このような放電変更処理により、図９に示すように、制御部４０は、自己完結状態である場合に、上流側に配置される蓄電池２２・２３を優先的に放電させることができる。これによれば、特段の処理を行わなければ放電量が少なくなり易い蓄電池２２・３２を、自己完結状態において積極的に放電させることができる。このため、制御部４０は、蓄電池１２・２２・３２の放電量の偏りを抑制できる。
【００７１】
また、制御部４０は、必要放電台数Ｂを算出することで（ステップＳ１２０）、最低何台の蓄電池１２・２２・３２を放電させればよいかを把握することができる。このため、制御部４０は、把握した台数と同一台数の蓄電池１２・２２・３２の放電を許可すれば、放電させる蓄電池１２・２２・３２の台数を最小の台数にまで絞ることができる。
【００７２】
また、第一実施形態に係る制御部４０は、必要放電台数Ｂ（放電量の総和から最大放電量を除算した結果）の小数点第１位を切り上げた値を、放電を許可する蓄電池１２・２２・３２の台数としている（ステップＳ１３０〜Ｓ１６０）。これによれば、制御部４０は、最低何台の蓄電池１２・２２・３２を放電させればよいかを簡単に把握することができる。
【００７３】
また、第一実施形態に係る電力供給システム１は、第三接続点Ｐ３（最も上流側の接続点）に太陽光発電部３１及び蓄電池３２をまとめて接続し、さらにその上流側に１台のセンサ３４を設けている。これによれば、センサ３４の検出結果から売電状態や自己完結状態等を判断できると共に、センサ３４の検出結果から蓄電池３２の負荷追従運転を行うことができる。これによって、電力供給システム１は、自己完結状態等の判断を行うためのセンサと蓄電池３２の負荷追従運転を行うためのセンサとを別々に設けなくて済むため、部品点数を削減し、コストを低減することができる。
【００７４】
以上の如く、第一実施形態に係る電力供給システム１は、自然エネルギーを利用して発電可能であると共に当該発電された電力を負荷Ｈへと供給可能な太陽光発電部１１・２１・３１（発電部）と、前記太陽光発電部１１・２１・３１で発電された電力及び系統電源Ｋからの電力を充電可能であると共に、当該充電された電力を放電して前記負荷Ｈへと供給可能な複数の蓄電池１２・２２・３２と、前記系統電源Ｋへと逆潮流される電力及び前記系統電源Ｋからの電力を検出可能なセンサ３４（検出部）と、前記センサ３４の検出結果を取得可能であると共に前記複数の蓄電池１２・２２・３２を制御可能に構成される制御部４０と、を具備し、前記制御部４０は、前記センサ３４の検出結果に基づいて前記太陽光発電部１１・２１・３１及び前記複数の蓄電池１２・２２・３２からの電力で前記負荷Ｈの消費電力を賄っている自己完結状態であるか否かを判断し（ステップＳ１０：ＮＯ、ステップＳ６０：ＮＯ）、当該自己完結状態であると判断した場合に、前記複数の蓄電池１２・２２・３２の放電に関する優先順位に基づいて放電を許可する前記蓄電池１２・２２・３２を変更する（ステップＳ１５０・Ｓ１６０）ものである。
【００７５】
このように構成することにより、自己完結状態において放電量が少ない蓄電池１２・２２・３２を優先的に放電させることが可能となるため、蓄電池１２・２２・３２の放電量の偏りを抑制できる。
【００７６】
また、制御部４０は、前記自己完結状態であると判断した場合に、前記複数の蓄電池１２・２２・３２の放電量の総和及び最大放電量に基づいて放電を許可する前記蓄電池１２・２２・３２の台数を決定する（ステップＳ１２０）ものである。
【００７７】
このように構成することにより、最低何台の蓄電池１２・２２・３２を放電させる必要があるのかを把握することができる。これにより、例えば、最低２台放電させる必要があるのに対して１台の放電を許可してしまい、放電量が足りなくなるといった不具合の発生を抑制できる。これによって、放電を許可する蓄電池１２・２２・３２の台数を好適に決定することができる。
【００７８】
また、前記制御部４０は、必要放電台数Ｂ（前記放電量の総和から前記最大放電量を除算した結果）に基づいて、前記負荷Ｈの消費電力を賄うために必要な前記蓄電池１２・２２・３２の台数の最小値を判断し、前記放電を許可する蓄電池１２・２２・３２の台数を前記最小値に決定するものである。
【００７９】
このように構成することにより、放電を許可する蓄電池１２・２２・３２の台数を最小の台数にまで絞ることができる。
【００８０】
また、前記系統電源Ｋと前記負荷Ｈとの間で流通する電力を検出可能な複数のセンサ１４・２４をさらに具備し、前記複数の蓄電池１２・２２・３２は、前記系統電源Ｋから前記負荷Ｈへと電力が流通する方向に並んで配置され、前記複数のセンサ１４・２４・３４の検出値に基づいて負荷追従運転を行うことで前記負荷Ｈへと電力を供給可能に構成され、前記制御部４０は、前記自己完結状態であると判断した場合に、前記複数の蓄電池１２・２２・３２のうち、前記電力が流通する方向の上流側に配置される前記蓄電池１２・２２・３２の放電を優先的に許可する（ステップＳ１５０・Ｓ１６０）ものである。
【００８１】
このように構成することにより、自己完結状態において、特段の制御を行わなければ下流側の蓄電池１２・２２・３２から優先的に放電されるところを、上流側の蓄電池１２・２２・３２から優先的に放電させることができる。これによって、蓄電池１２・２２・３２の放電量の偏りを抑制できる。
【００８２】
なお、第一実施形態に係る太陽光発電部１１・２１・３１は、本発明に係る発電部の実施の一形態である。
また、第一実施形態に係るセンサ３４は、本発明に係る検出部の実施の一形態である。
【００８３】
次に、第二実施形態に係る電力供給システム１０１について説明する。
【００８４】
なお、以下において、第一実施形態に係る電力供給システム１と同様に構成される機器については、第一実施形態と同一の符号を付し、その説明を省略する。
【００８５】
図１０に示すように、第二実施形態に係る電力供給システム１０１は、第一蓄電システム１０、第二蓄電システム２０、第三蓄電システム３０、第四蓄電システム１４０及び制御部１５０を具備する。このように、電力供給システム１０１は、蓄電システムの台数が一台多い点で、第一実施形態に係る電力供給システム１と相違する。
【００８６】
第四蓄電システム１４０は、第三蓄電システム３０よりも電力経路Ｌの上流側の第四接続点Ｐ４に接続される点を除いて、第一蓄電システム１０と同様に構成される。
【００８７】
制御部１５０は、ハイブリッドパワコン１３・２３・３３・１４３と接続される点を除いて、第一実施形態に係る制御部４０と同様に構成される。制御部１５０は、ハイブリッドパワコン１３・２３・３３・１４３から出力された信号により、センサ１４・２４・４３・１４４の検出結果や太陽光発電部１１・２１・３１・１４１及び蓄電池１２・２２・３２・１４２の運転状態に関する情報を取得することができる。また、制御部１５０は、ハイブリッドパワコン１３・２３・３３・１４３に信号を入力することで蓄電池１２・２２・３２・１４２の放電モード及び停止モードの切替を行うことができる。
【００８８】
このような電力供給システム１０１においては、図１１に示すように、蓄電池１２が放電モードである場合に、蓄電池１２（下流側の蓄電池）からの電力（２０００（Ｗ））が太陽光発電部２１・３１・１４１からの電力（それぞれ１０００（Ｗ））よりも優先的に負荷Ｈに供給されて売電放電状態となる可能性がある。また、蓄電池２２・３２が放電モードである場合にも、蓄電池１２の場合と同様に、売電放電状態となる可能性がある。
【００８９】
次に、図１２及び図１３を参照して、第二実施形態に係る売電放電抑制処理について説明する。
【００９０】
第二実施形態に係る売電放電抑制処理は、第一実施形態に係る売電放電抑制処理と同様に、蓄電池１２等を停止モードに設定することで、売電放電状態となることを抑制する。第二実施形態に係る売電放電抑制処理は、その処理の対象が第一実施形態に係る売電放電抑制処理と異なっている。
【００９１】
なお、以下においては、初期設定において、蓄電池１２・２２・３２・１４２に対して放電モードが設定されているものとして、売電放電抑制処理の内容を説明する。
【００９２】
図１２に示すように、まず、ステップＳ２１０において、制御部１５０は、売電状態であるか否かを確認する。この際、制御部１５０は、第四蓄電システム１４０のハイブリッドパワコン１４３からセンサ１４４（最も上流側に配置されるセンサ）の検出結果を取得することで、売電状態であるか否かを確認する。制御部１５０は、売電状態であると判断した場合にステップＳ２０へ移行する。一方、制御部１５０は、売電状態でないと判断した場合にステップＳ２４０へ移行する。
【００９３】
ステップＳ２０へ移行した制御部１５０は、第一実施形態と同様に、ステップＳ２０〜Ｓ５０を行う。これにより、制御部１５０は、第一蓄電システム１０及び第二蓄電システム２０の蓄電池１２・２２を停止モードに設定する。また、制御部１５０は、ステップＳ４０で第二蓄電システム２０の蓄電池２２が放電モードでないと判断した場合に、ステップＳ２２０へ移行する。
【００９４】
ステップＳ２２０において、制御部１５０は、第三蓄電システム３０の蓄電池３２が放電モードであるか否かを確認する。このとき、制御部１５０は、第三蓄電システム３０のハイブリッドパワコン３３から蓄電池３２のモードを取得することで、蓄電池３２が放電モードであるか否かを確認する。制御部１５０は、蓄電池３２が放電モードであると判断した場合にステップＳ２３０へ移行する。一方、制御部１５０は、蓄電池３２が放電モードでないと判断した場合に売電放電抑制処理を終了する。
【００９５】
ステップＳ２３０において、制御部１５０は、第三蓄電システム３０のハイブリッドパワコン３３に信号を入力し、蓄電池３２を停止モードに設定する。これにより、制御部１５０は、売電状態である場合に（ステップＳ２１０：ＹＥＳ）、蓄電池３２の放電を停止させる。これによって、制御部１５０は、負荷Ｈの消費電力のうち、第三蓄電システム３０の蓄電池３２で賄っていた分の電力を、第四蓄電システム１４０で賄うようにすることができる。制御部１５０は、ステップＳ２３０の処理が終了すると、売電放電抑制処理を終了する。
【００９６】
このように、第二実施形態に係る制御部１５０は、ステップＳ２０〜Ｓ５０・Ｓ２１０〜Ｓ２３０によって、最も上流側に配置される第四蓄電システム１４０の蓄電池１４２を除く蓄電池１２・２２・３２を停止モードに設定する。これによれば、図１３に示すように、制御部１５０は、蓄電システム（蓄電池１２・２２・３２・１４２）の台数が増えた場合でも、売電放電状態となることを抑制することができる。
【００９７】
図１２に示すように、売電状態でない場合にステップＳ２１０から移行するステップＳ２４０において、制御部１５０は、太陽光発電部１１・２１・３１・１４１及び蓄電池１２・２２・３２・１４２からの電力によって負荷Ｈの消費電力を賄っているか否かを確認する。第二実施形態においては、太陽光発電部１１・２１・３１・１４１及び蓄電池１２・２２・３２・１４２からの電力によって負荷Ｈの消費電力を賄えなくなった場合に、系統電源Ｋから電力を購入して買電量が放電時購入電力量ａよりも大きくなる。そこで、制御部１５０は、第四蓄電システム１４０のハイブリッドパワコン１４３からセンサ１４４の検出結果を取得することで買電量を判断し、当該買電量と放電時購入電力量ａとを比較する。制御部１５０は、買電量が放電時購入電力量ａよりも大きいと判断した場合に、ステップＳ２５０へと移行する。一方、制御部１５０は、買電量が放電時購入電力量ａ以下であると判断した場合に、後述する放電変更処理へと移行する。
【００９８】
ステップＳ２５０において、制御部１５０は、ステップＳ２２０と同様に、第三蓄電システム３０の蓄電池３２が放電モードであるか否かを確認する。制御部１５０は、蓄電池３２が放電モードであると判断した場合にステップＳ７０へ移行する。そして、制御部１５０は、第一実施形態と同様に、ステップＳ７０〜Ｓ１００の処理を行う。一方、制御部１５０は、蓄電池３２が放電モードでないと判断した場合にステップＳ２６０へ移行する。
【００９９】
ステップＳ２６０において、制御部１５０は、ステップＳ２３０と同じ要領で、第三蓄電システム３０の蓄電池３２を放電モードに設定する。これにより、制御部１５０は、買電量が放電時購入電力量ａよりも大きい場合に（ステップＳ２４０：ＹＥＳ）、蓄電池３２を放電させる。制御部１５０は、ステップＳ２６０の処理が終了すると、売電放電抑制処理を終了する。
【０１００】
このように、第二実施形態に係る制御部１５０は、ステップＳ７０〜Ｓ１００・Ｓ２５０・Ｓ２６０によって、最も上流側に配置される第四蓄電システム１４０の蓄電池１４２を除く蓄電池１２・２２・３２を放電モードに設定する。これによれば、制御部１５０は、蓄電システム（蓄電池１２・２２・３２・１４２）の台数が増えた場合でも、太陽光発電部１１・２１・３１・１４１の発電中に売電放電状態となることなく、蓄電池１２・２２・３２・１４２を放電させることができる。
【０１０１】
ここで、第二実施形態においても、蓄電池１２・２２・３２・１４２が放電モードである場合、下流側に配置される蓄電池が優先的に放電される。このため、自己完結状態において特段の処理を行わなければ、第一実施形態と同様に、下流側に配置される蓄電池１２の放電量が多くなり易い。そこで、電力供給システム１０１は、図１４に示す放電変更処理により、放電量の偏りを抑制するようにしている。
【０１０２】
次に、図１４及び図１５を参照して、第二実施形態に係る放電変更処理について説明する。
【０１０３】
放電変更処理は、第一実施形態に係る放電変更処理と同様に、放電させる蓄電池１２・２２・３２・１４２を適宜変更することで、自己完結状態である場合に、放電量の偏りを抑制するための処理である。放電変更処理は、第一実施形態に係る放電変更処理と同様に、買電量が放電時購入電力量ａ以下である場合（ステップＳ２１０：ＮＯ、ステップＳ２４０：ＮＯ）に実行される。第二実施形態に係る電力供給システム１０１は、その処理の対象が第一実施形態に係る放電変更処理と異なっている。
【０１０４】
図１４に示すように、ステップＳ３１０において、制御部１５０は、ハイブリッドパワコン１３・２３・３３・１４３から蓄電池１２・２２・３２・１４２の放電量を取得する。制御部１５０は、ステップＳ３１０の処理が終了すると、ステップＳ３２０へ移行する。
【０１０５】
ステップＳ３２０において、制御部１５０は、必要放電台数Ｂを計算する。この際、制御部１５０は、蓄電池１２・２２・３２・１４２の放電量の総和から蓄電池１２・２２・３２・１４２の最大放電量を除算することで、必要放電台数Ｂを算出する。制御部１５０は、ステップＳ３２０の処理が終了すると、ステップＳ３３０へ移行する。
【０１０６】
ステップＳ３３０において、制御部１５０は、必要放電台数Ｂが３よりも大きいか否かを確認する。制御部１５０は、必要放電台数Ｂが３以下である場合に、ステップＳ３４０へ移行する。一方、制御部１５０は、必要放電台数Ｂが３よりも大きい場合、蓄電池１２・２２・３２・１４２が全て放電していて放電させる蓄電池１２・２２・３２・１４２を変更できないと判断し、放電変更処理を終了する。
【０１０７】
ステップＳ３４０において、制御部１５０は、必要放電台数Ｂが３以下、かつ２よりも大きいか否かを確認する。制御部１５０は、必要放電台数Ｂが３以下、かつ２よりも大きい場合に、ステップＳ３５０へ移行する。一方、制御部１５０は、必要放電台数Ｂが３よりも大きい、又は２以下の場合に、ステップＳ３６０へ移行する。なお、必要放電台数Ｂが３よりも大きい場合、ステップＳ３３０からステップＳ３４０へ移行しないため、制御部１５０は、実質的には必要放電台数Ｂが２以下の場合にステップＳ３６０へ移行することとなる。
【０１０８】
ステップＳ３５０において、制御部１５０は、第二蓄電システム２０から第四蓄電システム１４０までの蓄電池２２・３２・１４２を放電モードに設定すると共に、第一蓄電システム１０の蓄電池１２を停止モードに設定する。必要放電台数Ｂが３以下、かつ２よりも大きい場合、蓄電池１２・２２・３２・１４２の中から３台を放電させれば、負荷Ｈの消費電力を賄うことができる。そこで、制御部１５０は、上流側に配置される３台の蓄電池２２・３２・１４２を放電させると共に、下流側に配置される蓄電池１２の放電を停止する。これによって、制御部１５０は、蓄電池２２・３２・１４２を優先的に放電させるように、放電させる蓄電池１２・２２・３２・１４２を変更する。制御部１５０は、ステップＳ３５０の処理が終了すると、放電変更処理を終了する。
【０１０９】
ステップＳ３６０において、制御部１５０は、必要放電台数Ｂが２以下、かつ１よりも大きいか否かを確認する。制御部１５０は、必要放電台数Ｂが２以下、かつ１よりも大きい場合に、ステップＳ３７０へ移行する。一方、制御部１５０は、必要放電台数Ｂが２よりも大きい、又は１以下の場合に、ステップＳ３８０へ移行する。なお、必要放電台数Ｂが２よりも大きい場合、ステップＳ３４０からステップＳ３６０へ移行しないため、制御部１５０は、実質的には必要放電台数Ｂが１以下の場合にステップＳ３８０へ移行することとなる。
【０１１０】
ステップＳ３７０において、制御部１５０は、第三蓄電システム３０及び第四蓄電システム１４０の蓄電池３２・１４２を放電モードに設定すると共に、第一蓄電システム１０及び第二蓄電システム２０の蓄電池１２・２２を停止モードに設定する。必要放電台数Ｂが２以下、かつ１よりも大きい場合、蓄電池１２・２２・３２・１４２の中から２台を放電させれば、負荷Ｈの消費電力を賄うことができる。そこで、制御部１５０は、上流側に配置される２台の蓄電池３２・１４２を放電させると共に、下流側に配置される２台の蓄電池１２・２２の放電を停止する。これによって、制御部１５０は、蓄電池３２・１４２を優先的に放電させるように、放電させる蓄電池１２・２２・３２・１４２を変更する。制御部１５０は、ステップＳ３７０の処理が終了すると、放電変更処理を終了する。
【０１１１】
ステップＳ３８０において、制御部１５０は、第四蓄電システム１４０の蓄電池１４２を放電モードに設定すると共に、第一蓄電システム１０から第三蓄電システム３０までの蓄電池１２・２２・３２を停止モードに設定する。必要放電台数Ｂが１以下である場合、蓄電池１２・２２・３２・１４２の中から１台を放電させれば、負荷Ｈの消費電力を賄うことができる。そこで、制御部１５０は、最も上流側に配置される蓄電池１４２のみを放電させると共に、下流側に配置される蓄電池１２・２２・３２の放電を停止する。これによって、制御部１５０は、蓄電池１４２を優先的に放電させるように、放電させる蓄電池１２・２２・３２・１４２を変更する。制御部１５０は、ステップＳ３８０の処理が終了すると、放電変更処理を終了する。
【０１１２】
図１５に示すように、制御部１５０は、以上のような放電変更処理により、蓄電システム（蓄電池１２・２２・３２・１４２）の台数が増えた場合でも、自己完結状態である場合に、上流側に配置される蓄電池２２・３２・１４２を優先的に放電させることができる。
【０１１３】
以上、本発明の実施形態を説明したが、本発明は上記構成に限定されるものではなく、特許請求の範囲に記載された発明の範囲内で種々の変更が可能である。
【０１１４】
例えば、電力供給システム１・１０１は、集合住宅に設けられるものとしたが、これに限定されるものではなく、例えば、オフィス等に設けられるものであってもよい。
【０１１５】
また、発電部は、太陽光を利用して発電する太陽光発電部１１・２１・３１・１４１であるものとしたが、自然エネルギー（例えば、水力や風力）を利用して発電するものであれば、これに限定されるものではない。
【０１１６】
また、第一実施形態及び第二実施形態において太陽光発電部１１・２１・３１・１４１の台数は、３台又は４台であるものとしたが、これに限定されるものではなく、任意の台数とすることができる。
【０１１７】
また、第一実施形態及び第二実施形態において蓄電池１２・２２・３２・１４２の台数は、３台又は４台であるものとしたが、これに限定されるものではなく、２台以上の任意の台数とすることができる。
【０１１８】
また、制御部４０・１５０は、ＥＭＳによって構成されるものとしたが、これに限定されるものではなく、例えば、市販のＰＣによって構成されるものであってもよい。
【０１１９】
また、一つの接続点Ｐ１〜Ｐ４には、太陽光発電部１１・２１・３１・１４１及び蓄電池１２・２２・３２・１４２がそれぞれ１台ずつ接続されるものとしたが、これに限定されるものではなく、例えば、太陽光発電部１１・２１・３１・１４１又は蓄電池１２・２２・３２・１４２のいずれか１台が接続されるものであってよい。
【０１２０】
また、制御部４０・１４０は、放電変更処理において、放電を許可する蓄電池１２・２２・３２・１４２の台数を最小の台数まで絞るものとしたが、これに限定されるものではなく、例えば、前記最小の台数よりも多い台数の蓄電池１２・２２・３２・１４２の放電を許可してもよい。このように構成しても、制御部４０・１４０は、放電を許可する蓄電池１２・２２・３２・１４２を変更した際に、放電量が足りなくなることを防止できる。これによって、制御部４０・１５０は、放電を許可する蓄電池１２・２２・３２・１４２の台数を好適に（不具合が生じることなく）決定することができる。
【０１２１】
また、制御部４０・１４０は、放電変更処理において、上流側に配置される蓄電池が上位となるように放電に関する優先順位を設定したが、優先順位を設定する基準は、蓄電池１２・２２・３２・１４２の配置に限定されるものではない。制御部４０・１４０は、例えば、所定の期間の間に放電した電力量の蓄電池１２・２２・３２・１４２毎の総和（蓄電池１２・２２・３２・１４２毎の積算放電量）に基づいて、放電変更処理時の優先順位を設定してもよい。この場合、制御部４０・１４０は、例えば、積算放電量が少ない蓄電池が上位となるように優先順位を設定すれば、放電量の偏りを抑制できる。
【符号の説明】
【０１２２】
１                電力供給システム
１１・２１・３１  太陽光発電部（発電部）
１２・２２・３２  蓄電池
３４              センサ（検出部）
４０              制御部
【図１】
2018160950.tif 000003
【図２】
2018160950.tif 000004
【図３】
2018160950.tif 000005
【図４】
2018160950.tif 000006
【図５】
2018160950.tif 000007
【図６】
2018160950.tif 000008
【図７】
2018160950.tif 000009
【図８】
2018160950.tif 000010
【図９】
2018160950.tif 000011
【図１０】
2018160950.tif 000012
【図１１】
2018160950.tif 000013
【図１２】
2018160950.tif 000014
【図１３】
2018160950.tif 000015
【図１４】
2018160950.tif 000016
【図１５】
2018160950.tif 000017